(57)【特許請求の範囲】
【請求項１】
運転席及び助手席の後方に固定して設けられた添乗介護者用座席と、この添乗介護者用座席の側方に折り畳み可能に設けられた補助座席と、前記添乗介護者用座席より後方に設けられた車椅子用スペースと、前記添乗介護者用座席及び補助座席の側方に設けられたスライドドアとを具備しており、前記添乗介護者用座席は、車椅子用スペースにセットされた車椅子に座った被介護者と、添乗介護者用座席に座った介護者とが対面し、かつ前記補助座席を折り畳むと、前記車椅子用スペースとスライドドアとの間に保安基準に適合する通路が確保されることを特徴とする車椅子と対面座席の介護タクシー。
【発明の詳細な説明】
【０００１】
【発明の属する技術分野】
本発明は、被介護者の見守り的介護を容易にした車椅子と対面座席の介護タクシーに関する。
【０００２】
【従来の技術】
従来の車椅子用のタクシーとしては、車椅子ごと乗降できるリフト付きのものはあった。
【０００３】
【従来の技術の課題】
しかし、これには次のような欠点があった。
（イ）添乗介護者が同乗しても、通常の後部座席は前向きであるため、後部座席の後方に設けられる車椅子用スペースにセットされた車椅子に座っている被介護者と、後部座席に座っている介護者とが対面できず、充分な見守り的な介護活動が行えなかった。
（ロ）道路運送車両法において、タクシーとして使用できる車両の座席は固定式に限られている。また、非常ドアと座席との間に充分な通路を確保しなければならない等の保安基準があった。通常のタクシーとして使用される車両は、通常のセダン、ワゴン、ミニバンタイプのものが多く、後部座席を後ろ向きに変更し、それを固定したとしても、後部座席より後方に設けられる車椅子用スペースと後部のドアとの間に保安基準を満たす通路が確保できなかった。
【０００４】
本発明は上記問題点に鑑みて創案されたものであって、介護者と車椅子に座っている被介護者とが対面可能で、かつ保安基準を満たす通路を確保することができる車椅子と対面座席の介護タクシーを提供することを目的としている。
【０００５】
【課題を解決するための手段】
本発明に係る車椅子と対面座席の介護タクシーは、運転席及び助手席の後方に固定して設けられた添乗介護者用座席と、この添乗介護者用座席の側方に折り畳み可能に設けられた補助座席と、前記添乗介護者用座席より後方に設けられた車椅子用スペースと、前記添乗介護者用座席及び補助座席の側方に設けられたスライドドアとを備えており、前記添乗介護者用座席は、車椅子用スペースにセットされた車椅子に座った被介護者と、添乗介護者用座席に座った介護者とが対面し、かつ前記補助座席を折り畳むと、前記車椅子用スペースとスライドドアとの間に保安基準に適合する通路が確保されるようになっている。
【０００６】
【発明の実施の形態】
図１は本発明の実施の形態に係る車椅子と対面座席の介護タクシーの内部の横方向からの概略的説明図、図２は本発明の実施の形態に係る車椅子と対面座席の介護タクシーの内部の概略的平面図、図３は本発明の実施の形態に係る車椅子と対面座席の介護タクシーの内部の概略的平面図である。
【０００７】
本発明の実施の形態に係る車椅子と対面座席の介護タクシーは、運転席４及び助手席５の後方に固定して設けられた添乗介護者用座席１と、この添乗介護者用座席１の側方に折り畳み可能に設けられた補助座席２と、前記添乗介護者用座席１より後方に設けられた車椅子用スペース６と、前記添乗介護者用座席１及び補助座席２の側方に設けられたスライドドア７とを備えており、前記添乗介護者用座席１は、車椅子用スペース６にセットされた車椅子３に座った被介護者と、添乗介護者用座席１に座った介護者とが対面し、かつ前記補助座席２を折り畳むと、前記車椅子用スペース６とスライドドア７との間に保安基準に適合する通路８が確保されるようになっている。
【０００８】
この車椅子と対面座席の介護タクシーには、一般のミニバンと呼ばれる車両が適している。このミニバンは、運転席及び助手席が最前列にあり、その後方に３人乗りの乗員用中間座席が、さらにこの乗員用中間座席の後方に２人乗りの乗員用後方座席が設けられている。この車椅子と対面座席の介護タクシーにおいては、前記乗員用後方座席を取り外して車椅子用スペース６とするとともに、乗員用中間座席を取り外し、その代わりに側方に折り畳み式の補助座席２を有する添乗介護者用座席１を後ろ向きに固定して取り付ける。
【０００９】
前記添乗介護者用座席１は、一般のミニバンに設けられている３人用のものではなく、２人乗り用の幅狭のものが用いられる。なお、一般にミニバンと呼ばれる車両の後部ドアは、左側面にのみ設けられ、かつスライドドアになっている。この添乗介護者用座席１は、左側にオフセットして設けられる。これは、後述する通路８を確保するためである。
【００１０】
前記補助座席２は、添乗介護者用座席１の右側、すなわち助手席５の後方に設けられる。そして、この補助座席２は、一般の観光バスに用いられるものと同様に、背部を座面部に折り畳んだ状態で、座面部自体を添乗介護者用座席１側に起立させることができるものである。
【００１１】
車椅子３は、図示しない背面ドアを開けた状態でリフト等を用いて前向きに車椅子用スペース６にセットされる。従って、車椅子３に座った被介護者は前向きに乗り込むことになる。
【００１２】
一方、介護者は、添乗介護者用座席１に座る。この添乗介護者用座席１は後ろ向きになっているので、介護者と被介護者とが対面することになる。
【００１３】
補助座席２を折り畳んだ状態では、図３にも示すように、車椅子用スペース６とスライドドア７との間のスペースが、保安基準に適合する通路８として利用可能になる。
【００１４】
【発明の効果】
本発明に係る車椅子と対面座席の介護タクシーは、運転席及び助手席の後方に固定して設けられた添乗介護者用座席と、この添乗介護者用座席の側方に折り畳み可能に設けられた補助座席と、前記添乗介護者用座席より後方に設けられた車椅子用スペースと、前記添乗介護者用座席及び補助座席の側方に設けられたスライドドアとを備えており、前記添乗介護者用座席は、車椅子用スペースにセットされた車椅子に座った被介護者と、添乗介護者用座席に座った介護者とが対面し、かつ前記補助座席を折り畳むと、前記車椅子用スペースとスライドドアとの間に保安基準に適合する通路が確保されるようになっている。
従って、介護者用座席に座った介護者と車椅子に座った被介護者とが対面するため、常に介護者は被介護者への援助が可能な状態にある。このため、非常事態が発生した場合にも直ちに被介護者への対応が可能になる。また、被介護者にとっては、常に介護者と対面して対話ができるため、安心して介護を受けることが可能になる。さらに、車椅子用スペースとスライドドアとの間に保安基準に適合する通路が確保されるので、非常事態発生時に被介護者のスムーズな車外への脱出が可能になる。
【図面の簡単な説明】
【図１】  本発明の実施の形態に係る車椅子と対面座席の介護タクシーの内部の横方向からの概略的説明図である。
【図２】  本発明の実施の形態に係る車椅子と対面座席の介護タクシーの内部の概略的平面図である。
【図３】  本発明の実施の形態に係る車椅子と対面座席の介護タクシーの内部の概略的平面図である。
【符号の説明】
１    添乗介護者用座席
２    補助座席
３    車椅子
４    運転席
５    助手席
６    車椅子用スペース
７    スライドドア
８    通路
【図１】
0003669691.tif 000002
【図２】
0003669691.tif 000003
【図３】
0003669691.tif 000004